(57)【要約】【課題】長さ調整機能及びトップの構成変更（トップのデザイン性向上）機能を同時に兼ね備えたネックレスの提供を目的とする。【解決手段】第３チェーンＣ３は、第２リング４の内壁面４ＩＳ内空間（貫通部分）を通されて第３リング５に取り付けられている。ここで、Ｒ１＞Ｒ３≧Ｒ２が成立つ。第１リング３の貫通部分をフック２に取り付けた場合には、ほぼ第２及び第３チェーンＣ２，Ｃ３は一体化して、最大長さの首に掛けられるネックレスが出来上がる。他方、第３リング５の貫通部分をフック２に取り付けると、第２リング４は第３チェーンＣ３に沿って落下して第２固定部分ＦＰ２の位置で止まり、第１リング３はトップ１の構成部材の仲間入りと成って新たなトップが形成されると共に、ネックレスの長さは固定長Ｌ２分だけ短くなり、長さ調整が実現される。【選択図】図１
2007044341.tif 000002
【特許請求の範囲】
【請求項１】
トップと、
フックと、
前記トップの一部に該当する第１固定部分に取り付けられた一端と、前記フックのリング状の金具に取り付けられた他端とを有する第１チェーンと、
前記フックでその貫通部分が止められており且つ前記トップの構成部材の寸法に適合した第１外形寸法を有する第１チェーン取付部材と、
前記第１チェーン取付部材に取り付けられた一端を有し且つ不可変の固定長を有する第２チェーンと、
前記第２チェーンの他端を止めており且つ前記第１外形寸法よりも小さな第２外形寸法を有する第２チェーン取付部材と、
前記第１外形寸法よりも小さく且つ前記第２外形寸法と同等以上の第３外形寸法を有する第３チェーン取付部材と、
前記トップの他部に該当する第２固定部分に取り付けられた一端を有し、その他端は前記第２チェーン取付部材の貫通部分内を通されて前記第３チェーン取付部材に取り付けられている第３チェーンとを備えており、
前記フックから前記第１チェーン取付部材を外して、その代わりに前記第３チェーン取付部材の貫通部分を前記フックに止めた場合には、
前記第２チェーン取付部材は前記第３チェーンに沿って落下して前記第２チェーン取付部材は前記トップの前記第２固定部分に位置しており、前記第２チェーンは前記第２固定部分を基点として垂れ下がっており、且つ、前記第１チェーン取付部材は前記トップの前記構成部材の一部を成していることを特徴とする、
ネックレス。
【請求項２】
トップと、
貫通部分を有し且つ前記トップの構成部材の寸法に適合した第１外形寸法を有する第１チェーン取付部材と、
前記第１チェーン取付部材の前記貫通部分によって前記第１チェーン取付部材に取り付けられた貫通部分を有し且つ前記第１外形寸法よりも小さな第４外形寸法を有する第４チェーン取付部材と、
前記第４チェーン取付部材に取り付けられた一端を有し且つ不可変の固定長を有する第２チェーンと、
前記第２チェーンの他端を止めており且つ前記第１外形寸法及び前記第４外形寸法の何れよりも小さな第２外形寸法を有する第２チェーン取付部材と、
前記第１外形寸法よりも小さく且つ前記第２外形寸法と同等以上の第３外形寸法を有する第３チェーン取付部材と、
前記第１チェーン取付部材の前記貫通部分又は前記第４チェーン取付部材の前記貫通部分の何れか一方を止めているフックと、
前記トップの一部に該当する第１固定部分に取り付けられた一端と、前記フックのリング状の金具に取り付けられた他端とを有する第１チェーンと、
前記トップの他部に該当する第２固定部分に取り付けられた一端を有し、その他端は前記第２チェーン取付部材の貫通部分内を通されて前記第３チェーン取付部材に取り付けられている第３チェーンとを備えており、
前記フックから前記フックに止められている前記第１チェーン取付部材又は前記第４チェーン取付部材の何れか一方を外して、その代わりに前記第３チェーン取付部材の貫通部分を前記フックに止めた場合には、
前記第２チェーン取付部材は前記第３チェーンに沿って落下して前記第２チェーン取付部材は前記トップの前記第２固定部分に位置しており、前記第２チェーンは前記第２固定部分を基点として垂れ下がっており、且つ、前記第１チェーン取付部材は前記トップの前記構成部材の一部を成していることを特徴とする、
ネックレス。
【発明の詳細な説明】
【技術分野】
【０００１】
この発明は、長さ調整機能及びトップのデザイン性向上（トップの構成変更）機能を同時に兼ね備えたネックレスに関する。
【背景技術】
【０００２】
長さ調整機能を有する従来のネックレスの構成例を、図９に模式的に示す。図９に於いて、参照符号１００Ｔはネックレスのトップであり、１００Ｃはチェーンであり、１００Ａはアジャスターである。ユーザーは、アジャスター１００Ａに於いて、チェーン１００Ｃを引っ張ったり、戻し込んだりする（スライドさせる）ことで、ユーザーの首に掛けるチェーン１００Ｃの長さを調整出来る。
【０００３】
【非特許文献１】レザーネックレス、平成１７年８月３日検索、インターネット＜ＵＲＬ  http://www.marin-com.com/beads＿yougu/YB0034＿reza-/reza-nekkuresu.htm＞
【非特許文献２】Yahoo!ショピング−秋の新作「スリーストーン」ダイヤモンド・ネックレス、平成１７年８月３日検索、インターネット＜ＵＲＬ  http://store.yahoo.co.jp/j-kotobuki/bda9a4cebf.html＞
【発明の開示】
【発明が解決しようとする課題】
【０００４】
従来のネックレスは確かにアジャスターを利用してその長さを調整出来るが、ネックレスのトップ部との関係でネックレス全体の形状を見た場合には、そのデザイン性は好ましいものとは言えないのが実情である。
【０００５】
即ち、単に長さを調整出来るだけでなく、ネックレスのトップ部の形状及びデザイン性に応じて、それらに適ったデザイン性に富んだアジャスター機構を設けたいとの要求がある。
【０００６】
本発明は斯かる要求に応えるべく成されたものであり、その目的とするところは、長さ調整機能及びトップの構成変更（トップのデザイン性向上）機能を同時に兼ね備えたネックレスを提供することにある。
【課題を解決するための手段】
【０００７】
本発明の主題に係るネックレスは、トップと、フックと、前記トップの一部に該当する第１固定部分に取り付けられた一端と、前記フックのリング状の金具に取り付けられた他端とを有する第１チェーンと、前記フックでその貫通部分が止められており且つ前記トップの構成部材の寸法に適合した第１外形寸法を有する第１チェーン取付部材と、前記第１チェーン取付部材に取り付けられた一端を有し且つ不可変の固定長を有する第２チェーンと、前記第２チェーンの他端を止めており且つ前記第１外形寸法よりも小さな第２外形寸法を有する第２チェーン取付部材と、前記第１外形寸法よりも小さく且つ前記第２外形寸法と同等以上の第３外形寸法を有する第３チェーン取付部材と、前記トップの他部に該当する第２固定部分に取り付けられた一端を有し、その他端は前記第２チェーン取付部材の貫通部分内を通されて前記第３チェーン取付部材に取り付けられている第３チェーンとを備えており、前記フックから前記第１チェーン取付部材を外して、その代わりに前記第３チェーン取付部材の貫通部分を前記フックに止めた場合には、前記第２チェーン取付部材は前記第３チェーンに沿って落下して前記第２チェーン取付部材は前記トップの前記第２固定部分に位置しており、前記第２チェーンは前記第２固定部分を基点として垂れ下がっており、且つ、前記第１チェーン取付部材は前記トップの前記構成部材の一部を成していることを特徴とする。
【０００８】
以下、この発明の主題の様々な具体化を、添付図面を基に、その効果・利点と共に、詳述する。
【発明の効果】
【０００９】
第１チェーン取付部材の貫通部分をフックで止めている状態に於いて、フック及びトップを各々上側及び下側に配置した場合には、第３チェーン取付部材が落下して第２チェーン取付部材に引っ掛かり、第３チェーン取付部材と第２チェーン取付部材とは互いに係止し合い、第２チェーンと第３チェーンとはあたかも一本のチェーンに一体化して張った様な状態となる。その結果、本発明に係るネックレスをユーザーの首に掛けることが出来る。
【００１０】
次に第１チェーン取付部材の貫通部分をフックから外して、代わりに第３チェーン取付部材の貫通部分をフックに止めた場合には、第１チェーン取付部材と第２チェーンと第２チェーン取付部材とから成る一体化した部分は、第３チェーンの長手方向に沿って移動可能となる。従って、フック側を上側に配置すると、第１チェーン取付部材と第２チェーンと第２チェーン取付部材とから成る一体化した部分は第３チェーンに沿って第２固定部分に向けて落下し、最終的に第２チェーン取付部材はトップの第２固定部分の位置で止まり、第１チェーン取付部材と第２チェーンとは、第２固定部分にある第２チェーン取付部材から吊り下がった状態となる。その結果、トップの構成部材の寸法に適合した第１外形寸法を有する第１チェーン取付部材は、既存のトップの構成部材と共に、トップの新たな構成部材を成すこととなり、トップの構成が変わる。その結果、本発明に係るネックレスの長さは、第２チェーンの固定長分だけ短くなって、長さ調整が成されると共に、第１チェーン取付部材が新たにトップの構成部材の仲間入りとなるので、トップの装飾性ないしはデザイン性が一新・向上される。
【００１１】
以上の通り、本発明の主題によれば、第１チェーン取付部材の貫通部分をフックから外して、代わりに第３チェーン取付部材の貫通部分をフックに止めるだけで、ネックレスの長さを第２チェーンの不可変な固定長だけ短く調整することが出来ると共に、同時に、新たなトップのデザイン乃至は構成を形成してトップの構成の見た目を一変させ、トップのデザイン性を向上させることが出来る。
【発明を実施するための最良の形態】
【００１２】
（実施の形態１）
図１は、如何なるリングもフック２に止められていない状態でのネックレスを模式的に示す上面図である（例えば上記状態でネックレスを卓上に置いた場合）。
【００１３】
図１において、ネックレスのトップ（トップ部とも言う。）１は、この例では、複数のリング１Ｒが重なる様に引掛けられる状態で構成されている。各リング１Ｒは、トップ１の構成部材であるが、トップ１の構成部材としては必ずしもリングである必要性はない。
【００１４】
一定の長さを有する第１チェーンＣ１の一端は、トップ９を成す或る構成部材の一部分に該当する第１固定部分ＦＰ１に固定されており、同チェーンＣ１の他端は、フック２の末端に固着されたリング状の金具２Ｋの輪に取り付けられている。
【００１５】
又、第１リング３（第１チェーン取付部材に該当）は、トップ１の構成部材１Ｒの寸法に適合した寸法の第１半径（その直径は第１外形寸法に該当）（縦断面形状の外側円の半径に相当）Ｒ１を有する。これに対して、第２リング４（第２チェーン取付部材に該当）は、第１リング３の第１半径Ｒ１よりも小さな第２半径（その直径は第２外形寸法に該当）（縦断面形状の外側円の半径に相当）Ｒ２を有する。そして、不可変の固定長Ｌ２を有する第２チェーンＣ２の一端は、第１リング３の輪に取り付けられており、同チェーンＣ２の他端は第２リング４の輪に取り付けられている。尚、固定長Ｌ２は、通常は約２ｃｍ〜３ｃｍであるが、ユーザーの個別のオーダーに適合する様に、ネックレスの製造段階で、その長さＬ２をオーダー通りの値に設定することは可能である。又、第３リング５（第３チェーン取付部材に該当）は、第１半径Ｒ１よりも小さく且つ第２半径Ｒ２と同等以上の第３半径（その直径は第３外形寸法に該当）（縦断面形状の外側円の半径に相当）Ｒ３を有する。従って、本ネックレスの各リング３，４，５の半径乃至は外形寸法に関しては、Ｒ１＞Ｒ３≧Ｒ２、あるいは、（リング３の外形寸法）＞（リング５の外形寸法）≧（リング４の外形寸法）の関係が成立している。
【００１６】
そして、一定の長さを有する第３チェーンＣ３の一端は、トップ１を成す他の構成部材の一部分に該当する第２固定部分ＦＰ２に固定されており、しかも、第３チェーンＣ３はの中を、つまり同リング４の内壁面４ＩＳの内側空間内（貫通部分内）を通されており、同チェーンＣ３の他端は第３リング５の輪に取り付けられている。従って、図１の状態においては、一体化した第２リング４と第２チェーンＣ２と第１リング３とは、第２リング４を介して、第３チェーンＣ３の長手方向に沿って移動可能な状態にある。
【００１７】
図２は、第１リング３の貫通部分をフック２で止めて、フック２側を上側に、トップ１側を下側に配置したときの本ネックレスの構成を示す正面図である。図２の状態に於いては、本ネックレスの長さは最大長となっており、しかも、ユーザーの首に本ネックレスを掛けることが出来る状態にある。即ち、第１リング３をフック２に止めて第２チェーンＣ２を垂らすと、重力により、第３チェーンＣ３は、第２リング４の内壁面４ＩＳ内の空間内（即ち、第２リング４の貫通部分内）を通り抜けて下側に向けて落下し続け、最終的に、第３チェーンＣ３の他端が取り付けられた第３リング５が第２リング４と衝突して両リング４，５は絡み合った状態となって互いに係止し合い、第３リング５の移動乃至は落下は第２リング４の存在によってその部分で止まる。その結果、第２チェーンＣ２と第３チェーンＣ３とは、あたかも一体化した一本のチェーンの如くとなり、本ネックレスの長さは最大長となる。この状態で、ユーザーは、本ネックレスを首に掛けることが出来る。
【００１８】
他方、図３は、ユーザーがフック２から第１リング３を外して、その代わりに第３リング５の貫通部分をフック２に止めた直後の本ネックレスの状態を模式的に示す正面図であり、フック２側が上側に配置されている。図３に示す様に、第３リング５の貫通部分をフック２に止めると、第２リング４は、重力によって、第２固定部分ＦＰ２に向けて、第３チェーンＣ３に沿って落下して行く。その落下に追従して、第２チェーンＣ２及び第１リング３もまた第３チェーンＣ３に引導されながらトップ１へ向けて落下して行く。
【００１９】
図４は、フック２に第３リング５を止めた後に第２リング４が最終的にトップの第２固定部分ＦＰ２にまで到達した後の本ネックレスの構成を模式的に示す正面図である。図４に例示する通り、第３チェーンＣ３に沿って滑りながら下方へ落下していた第２リング４は、最終的には第２固定部分ＦＰ２に到達して止まる。その第２リング４の動作に同期して、第２チェーンＣ２はほぼ第２固定部分ＦＰ２を基点としてトップ側に垂れ下がり、その結果、第２チェーンＣ２の先端に取り付けられている第１リング３は、新たなトップ１Ａの構成部材の仲間入りとなる。即ち、第１リング３は、トップ１Ａの構成部材の新たな一部分と成る。その結果、第１リング３が仲間入りした部分だけ、トップの構成は変化し、第１リング３をその構成部材として含めた新たなトップ１Ａが形成される。この新たなトップ１Ａの形成により、トップ１Ａの見栄えは一変され、トップ１Ａのデザイン性は向上される。しかも、この時点でのチェーンの実質的な長さは第１チェーンＣ１の所定の長さと第３チェーンＣ３の所定の長さとの和となり、第２チェーンＣ２の固定長Ｌ２分だけ、本ネックレスの長さは短く調整されることになる。図４の状態の本ネックレスをユーザーは首に掛けることが出来、これにより、ユーザーは、本ネックレスの長さ調整（短い方向に調整）の完了及びトップ１Ａの構成乃至はデザイン性の変更・向上を同時に達成することが可能となる。
【００２０】
以上の様に、フック２に引掛けて止めるリングを第１リング３から第３リング５に変更するだけで、本ネックレスの長さを固定長Ｌ２分だけ短く調整することが出来ると共に、新たな構成のトップ１Ａを形成してトップ１Ａ乃至は本ネックレス全体のデザイン性を向上させることが出来る。
【００２１】
尚、本実施の形態では、ネックレスのトップ１が複数のリングが重なり合って構成されている一例を示したが、トップ部の構成としてはこの一例に限られるものではなく、様々の構成部材を用いてトップ部を形成することが可能であり、その構成は任意であると言える。
【００２２】
又、第１乃至第３リング３，４，５には、丸カンや引き輪を用いてもよく、本実施の形態で言う「リング」とは、これらの部材をも含む用語乃至は概念である。
【００２３】
更に、「第１乃至第３チェーン取付部材」と言う用語には、本実施の形態で記載した様な縦断面形状がドーナツ型のリング（環乃至は輪）３，４，５の他に、縦断面形状が三角形あるいは四角形あるいは台形等から成る部材の様に、様々な縦断面形状を有する部材が含まれる。即ち、「第１乃至第３チェーン取付部材」の各々の形状は任意であり、「第１乃至第３チェーン取付部材」の各々が、対応するチェーンを止めるための貫通部分（チェーンを止める機能）を有していれば良い。
【００２４】
（実施の形態２）
図５は、本実施の形態に於ける、如何なるリングもフック２に止められていない状態でのネックレスを模式的に示す上面図であり、実施の形態１の図１に対応する図面である。図５に示すネックレスが図１のネックレスと構造上相違する点は、更に第４リング６（第４チェーン取付部材に相当）を設けた点にある。即ち、第４リング６の縦断面での第４半径Ｒ４は、第１リング３の縦断面での第１半径Ｒ１よりも小さく且つ第２リング４の縦断面での第２半径Ｒ２よりも大きい（Ｒ１＞Ｒ４＞Ｒ２）。換言すれば、（第１リング３の第１外形寸法）＞（第４リング６の第４外形寸法）＞（第２リング４の第２外形寸法）の関係にある。従って、第４リング６は、トップ１の構成部材の寸法に適合してはいない。その結果、本実施の形態でも、トップ１の構成部材に仲間入りするリングは、あくまでも第１リング３であり、第４リング６はその補助リングである。そして、第４リング６の貫通部分乃至は輪は、より大きな第１リング３の貫通部分を介して、第１リング３に取り付けられている。その他の参照符号で図１に示す参照符号と同一のものは、図１に関して記載したものに相当する。
【００２５】
図６は、本実施の形態に於ける、フック２に第４リング６を止めてフック２側を上に配置したときのネックレスの構成を模式的に示す正面図であり、実施の形態１の図２に対応する図面である。図６の例示では、第４リング６がフック２に止めらており、第４リング６の輪に引っ掛かっている第１リング３は宙に浮いた状態にある。図６の状態では、第２リング４を介して２本のチェーンＣ２，Ｃ３があたかも一体化して一本のチェーンとなっており、本リングの使用形態としては、チェーンの長さは最大長になっている。尚、本実施の形態のネックレスでは、チェーンの長さが最大長になる使用形態に於いては、主として第４リング６がフック２に引掛けられるが、第４リング６ではなくて、第１リング３を図２の様にフック２に引掛けて使用しても勿論良い。
【００２６】
図７は、本実施の形態に於ける、図６の使用状態から、あるいは、第１リング３を図２の様にフック２に引掛けて使用している状態から、フック２に第３リング５を止めた直後の本ネックレスの状態を模式的に示す正面図であり、実施の形態１の図３に対応する図面である。図７に示す様に、第２リング４は第３チェーンＣ３に沿って第２固定部分ＦＰ２に向けて落下しており、その落下に引きずられて、第２リング４と一体化した第２チェーンＣ２、第４リング６及び第１リング３もまた、第３チェーンＣ３に引導されて落下している。
【００２７】
図８は、本実施の形態に於ける、フック２に第３リング５を止めた後に第２リング４が第２固定部分ＦＰ２にまで到達した後の本ネックレスの構成を模式的に示す正面図であり、実施の形態１の図４に対応する図面である。図８においても、第２チェーンＣ２は第２固定部分ＦＰ２を基点としてトップ側に垂れ下がった状態となって本ネックレスのチェーンの長さは固定長Ｌ２分だけ短く成っており、トップの構成部材と同等の寸法を有する第１リング３は、トップの構成部材に仲間入りして、新たなトップ１Ａの構成を形成している。この場合、第４リング６は、新たなトップの構成部材と成った第１リング３の補助構成部材となる。
【００２８】
以上の様に、本実施の形態に係るネックレスもまた、既述した実施の形態１の作用・効果を同様に奏すると共に、更に次の特有の効果をも奏する。即ち、本実施の形態では、チェーンの長さが最大長となる使用形態では、主として乃至は頻繁に第４リング６がフック２に引掛けられて止められるので（図６）、第４リング６をフック２に引掛ける際に第４リング６に傷が付いたとしても、図８に示す使用形態においては、傷の付いた第４リング６の外形寸法はトップ１Ａの構成部材の一部たる第１リング３のそれと比較して小さいため、第４リング６がトップ１Ａ側に配設されても、第４リング６に付いた傷は目立ちにくく（即ち、ユーザーはフック２に止める際に付いてしまった傷を持つリング６が長さ調整の結果、胸側に位置するトップ１Ａ側に来ても、気に成りにくくなり）、トップ１Ａのデザイン性を損なうことは無いと言う効果が得られる。
【００２９】
尚、本実施の形態に於いても、第４リング６には、丸カンや引き輪を用いてもよく、本実施の形態で言う「第４リング」とは、その様な部材をも含む用語乃至は概念である。更に、「第４チェーン取付部材」と言う用語には、本実施の形態で記載した様な縦断面形状がドーナツ型のリング（環乃至は輪）６の他に、縦断面形状が三角形等から成る部材の様に、様々な縦断面形状を有する部材が含まれる。即ち、「第４チェーン取付部材」の形状は任意であり、「第４チェーン取付部材」は、対応する第２チェーンＣ２を止め且つ第１チェーン取付部材の貫通部分と交差して第１チェーン取付部材に取り付けられるための貫通部分を有していれば良い。
【００３０】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００３１】
【図１】フックに如何なるリングも止められていない状態のネックレスを模式的に示す上面図である。
【図２】フックに第１リングを止めたときのネックレスの構成を模式的に示す正面図である。
【図３】フックに第３リングを止めた直後のネックレスの状態を模式的に示す正面図である。
【図４】フックに第３リングを止めた後に第２リングが第２固定部分にまで落下した後のネックレスの構成を模式的に示す正面図である。
【図５】実施の形態２に於ける、フックに如何なるリングも止められていない状態のネックレスを模式的に示す上面図である。
【図６】実施の形態２に於ける、フックに第４リングを止めたときのネックレスの構成を模式的に示す正面図である。
【図７】実施の形態２に於ける、フックに第３リングを止めた直後のネックレスの状態を模式的に示す正面図である。
【図８】実施の形態２に於ける、フックに第３リングを止めた後に第２リングが第２固定部分にまで落下した後のネックレスの構成を模式的に示す正面図である。
【図９】従来のネックレスの長さ調整方法を示す正面図である。
【符号の説明】
【００３２】
１，１Ａ  トップ、２  フック、２Ｋ  金具、３  第１リング、４  第２リング、５  第３リング、６  第４リング、Ｃ１  第１チェーン、Ｃ２  第２チェーン、Ｃ３  第３チェーン、Ｒ１  第１半径（第１外形寸法）、Ｒ２  第２半径（第２外形寸法）、Ｒ３  第３半径（第３外形寸法）、Ｒ４  第４半径（第４外形寸法）、Ｌ２  第２チェーンの長さ寸法（固定長）、ＦＰ１  第１固定部分、ＦＰ２  第２固定部分、４ＩＳ  内壁面。
【図１】
2007044341.tif 000003
【図２】
2007044341.tif 000004
【図３】
2007044341.tif 000005
【図４】
2007044341.tif 000006
【図５】
2007044341.tif 000007
【図６】
2007044341.tif 000008
【図７】
2007044341.tif 000009
【図８】
2007044341.tif 000010
【図９】
2007044341.tif 000011
【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
トップと、
フックと、
前記トップの一部に該当する第１固定部分に取り付けられた一端と、前記フックのリング状の金具に取り付けられた他端とを有する第１チェーンと、
前記フックでその貫通部分が着脱自在に止められており且つ前記トップの構成部材の寸法に適合した第１外形寸法を有する第１チェーン取付部材と、
前記第１チェーン取付部材に取り付けられた一端を有し且つ不可変の固定長を有する第２チェーンと、
前記第２チェーンの他端を止めており且つ前記第１外形寸法よりも小さな第２外形寸法を有する第２チェーン取付部材と、
前記第１外形寸法よりも小さく且つ前記第２外形寸法と同等以上の第３外形寸法を有する第３チェーン取付部材と、
前記トップの他部に該当する第２固定部分に取り付けられた一端を有し、その他端は前記第２チェーン取付部材の貫通部分内を通されて前記第３チェーン取付部材に取り付けられている第３チェーンとを備えており、
前記フックから前記第１チェーン取付部材を外して、その代わりに前記第３チェーン取付部材の貫通部分を前記フックに止めた場合には、
前記第２チェーン取付部材は前記第３チェーンに沿って落下して前記第２チェーン取付部材は前記トップの前記第２固定部分に位置しており、前記第２チェーンは前記第２固定部分を基点として垂れ下がっており、且つ、前記第１チェーン取付部材は前記トップの前記構成部材の一部を成していることを特徴とする、
ネックレス。
【請求項２】
トップと、
貫通部分を有し且つ前記トップの構成部材の寸法に適合した第１外形寸法を有する第１チェーン取付部材と、
前記第１チェーン取付部材の前記貫通部分によって前記第１チェーン取付部材に取り付けられた貫通部分を有し且つ前記第１外形寸法よりも小さな第４外形寸法を有する第４チェーン取付部材と、
前記第４チェーン取付部材に取り付けられた一端を有し且つ不可変の固定長を有する第２チェーンと、
前記第２チェーンの他端を止めており且つ前記第１外形寸法及び前記第４外形寸法の何れよりも小さな第２外形寸法を有する第２チェーン取付部材と、
前記第１外形寸法よりも小さく且つ前記第２外形寸法と同等以上の第３外形寸法を有する第３チェーン取付部材と、
前記第１チェーン取付部材の前記貫通部分又は前記第４チェーン取付部材の前記貫通部分の何れか一方を着脱自在に止めているフックと、
前記トップの一部に該当する第１固定部分に取り付けられた一端と、前記フックのリング状の金具に取り付けられた他端とを有する第１チェーンと、
前記トップの他部に該当する第２固定部分に取り付けられた一端を有し、その他端は前記第２チェーン取付部材の貫通部分内を通されて前記第３チェーン取付部材に取り付けられている第３チェーンとを備えており、
前記フックから前記フックに止められている前記第１チェーン取付部材又は前記第４チェーン取付部材の何れか一方を外して、その代わりに前記第３チェーン取付部材の貫通部分を前記フックに止めた場合には、
前記第２チェーン取付部材は前記第３チェーンに沿って落下して前記第２チェーン取付部材は前記トップの前記第２固定部分に位置しており、前記第２チェーンは前記第２固定部分を基点として垂れ下がっており、且つ、前記第１チェーン取付部材は前記トップの前記構成部材の一部を成していることを特徴とする、
ネックレス。
【手続補正２】
【補正対象書類名】明細書
【補正対象項目名】０００７
【補正方法】変更
【補正の内容】
【０００７】
本発明の主題に係るネックレスは、トップと、フックと、前記トップの一部に該当する第１固定部分に取り付けられた一端と、前記フックのリング状の金具に取り付けられた他端とを有する第１チェーンと、前記フックでその貫通部分が着脱自在に止められており且つ前記トップの構成部材の寸法に適合した第１外形寸法を有する第１チェーン取付部材と、前記第１チェーン取付部材に取り付けられた一端を有し且つ不可変の固定長を有する第２チェーンと、前記第２チェーンの他端を止めており且つ前記第１外形寸法よりも小さな第２外形寸法を有する第２チェーン取付部材と、前記第１外形寸法よりも小さく且つ前記第２外形寸法と同等以上の第３外形寸法を有する第３チェーン取付部材と、前記トップの他部に該当する第２固定部分に取り付けられた一端を有し、その他端は前記第２チェーン取付部材の貫通部分内を通されて前記第３チェーン取付部材に取り付けられている第３チェーンとを備えており、前記フックから前記第１チェーン取付部材を外して、その代わりに前記第３チェーン取付部材の貫通部分を前記フックに止めた場合には、前記第２チェーン取付部材は前記第３チェーンに沿って落下して前記第２チェーン取付部材は前記トップの前記第２固定部分に位置しており、前記第２チェーンは前記第２固定部分を基点として垂れ下がっており、且つ、前記第１チェーン取付部材は前記トップの前記構成部材の一部を成していることを特徴とする。